(57)【要約】【課題】コーナーパネルと当該コーナーパネルに並べて設置される外壁パネルとの間の下端部の位置ずれを解消することができるコーナーパネルの取付構造及びコーナーパネル支持部材を提供する。【解決手段】コーナーパネル３の取付構造Ａ及び支持部材１０では、支持部材１０の連結部１３をジョイントボックス４に固定した状態で、上下スライド機構２０によって、座部１４を連結部１３に対して上下動させる。座部１４を連結部１３に対して上下動させることにより、座部１４に乗るコーナーパネル３をジョイントボックス４に対して上下動させることができ、これによって、コーナーパネル３と当該コーナーパネル３に並べて設置される外壁パネル５０との間の下端部の位置ずれが解消される。【選択図】図４
2015059406.tif 000002
【特許請求の範囲】
【請求項１】
躯体隅部に支持部材を介してコーナーパネルを取り付けるコーナーパネルの取付構造であって、
前記コーナーパネルは、交差する二つの片により形成されて出隅部に配置されるものであり、当該二つの片が交差して形成されたパネル頂部からその裏面側に向けて延びる貫通孔を有し、
前記支持部材は、
前記コーナーパネルを受けると共に前記貫通孔に挿通されるパネル固定ボルトを保持する座部と、
前記躯体隅部に固定されると共に前記座部が連結される連結部と、
前記連結部に対して前記座部を上下動可能とする上下スライド機構と、を備える
ことを特徴とするコーナーパネルの取付構造。
【請求項２】
前記上下スライド機構は、
前記連結部に対し前記座部を相対的に上下動させて位置調整すると共に、当該位置調整後の前記座部を前記連結部に固定する調整固定部と、
前記調整固定部とは異なる位置で前記座部を支持する支持部と、を有する
ことを特徴とする請求項１に記載のコーナーパネルの取付構造。
【請求項３】
前記支持部は、前記座部に螺合すると共に前記連結部に上端部を当接させる軸部材を前記調整固定部に対し左右一対備えている
ことを特徴とする請求項２に記載のコーナーパネルの取付構造。
【請求項４】
前記軸部材には、前記座部に対するずれを防止するずれ防止部が設けられている
ことを特徴とする請求項３に記載のコーナーパネルの取付構造。
【請求項５】
前記調整固定部は、前記座部と前記連結部に挿通されてこれらを締結するボルトを有している
ことを特徴とする請求項２〜４のいずれか一項に記載のコーナーパネルの取付構造。
【請求項６】
前記座部には、前記パネル固定ボルトの軸部よりも大きいボルト挿通孔が形成されている
ことを特徴とする請求項１〜５のいずれか一項に記載のコーナーパネルの取付構造。
【請求項７】
前記パネル固定ボルトの軸部の基端部は、角柱状をなしており、前記ボルト挿通孔内に配置されて回転不能となっている
ことを特徴とする請求項６に記載のコーナーパネルの取付構造。
【請求項８】
交差する二つの片により形成されて出隅部に配置され、当該二つの片が交差して形成されたパネル頂部からその裏面側に向けて延びる貫通孔を有するコーナーパネルを躯体隅部に取り付けるためのコーナーパネル支持部材であって、
前記コーナーパネルを受けると共に前記貫通孔に挿通されるパネル固定ボルトを保持する座部と、
前記躯体隅部に固定されると共に前記座部が連結される連結部と、
前記連結部に対して前記座部を上下動可能とする上下スライド機構と、を備える
ことを特徴とするコーナーパネル支持部材。
【請求項９】
前記上下スライド機構は、
前記連結部に対し前記座部を相対的に上下動させて位置調整すると共に、当該位置調整後の前記座部を前記連結部に固定する調整固定部と、
前記調整固定部とは異なる位置で前記座部を支持する支持部と、を有する
ことを特徴とする請求項８に記載のコーナーパネル支持部材。
【請求項１０】
前記支持部は、前記座部に螺合すると共に前記連結部に上端部を当接させる軸部材を左右一対備えている
ことを特徴とする請求項９に記載のコーナーパネル支持部材。
【請求項１１】
前記軸部材には、前記座部に対するずれを防止するずれ防止部が設けられている
ことを特徴とする請求項１０に記載のコーナーパネル支持部材。
【請求項１２】
前記調整固定部は、前記座部と前記連結部に挿通されてこれらを締結するボルトを有している
ことを特徴とする請求項９〜１１のいずれか一項に記載のコーナーパネル支持部材。
【請求項１３】
前記座部には、前記パネル固定ボルトの軸部よりも大きいボルト挿通孔が形成されている
ことを特徴とする請求項８〜１２のいずれか一項に記載のコーナーパネル支持部材。
【請求項１４】
前記パネル固定ボルトの軸部の基端部は、角柱状をなしており、前記ボルト挿通孔内に配置されて回転不能となっている
ことを特徴とする請求項１３に記載のコーナーパネル支持部材。
【発明の詳細な説明】
【技術分野】
【０００１】
本発明は、建物の隅部に配置されるコーナーパネルを柱に取り付ける際に有利なコーナーパネルの取付構造及びコーナーパネル支持部材に関する。
【背景技術】
【０００２】
中低層住宅を含む建物では、軽量気泡コンクリート（ＡＬＣ）パネルやプレキャストコンクリート（ＰＣ）パネル等からなる壁パネルを躯体を構成する梁に取り付けて、外壁を構成することが行われている。この場合、建物の隅部では、外壁と同一の材質を持ったコーナーパネルを柱に取り付けている。
【０００３】
躯体を構成する柱にコーナーパネルを取り付ける際の代表的な構造としては、取付座を有する固定金具を柱に予め取り付けておき、コーナーパネルに形成された挿通孔にボルトを挿通すると共に取付座に締結することで、コーナーパネルを柱に取り付ける構成が知られている（たとえば、特許文献１参照）。
【先行技術文献】
【特許文献】
【０００４】
【特許文献１】特開２００３−２５３８５０号公報
【発明の概要】
【発明が解決しようとする課題】
【０００５】
しかしながら、特許文献１に記載の構成では、柱に取り付けたコーナーパネルと柱との相対位置を調整することができない。特に、当該コーナーパネルが片持ち梁の先端部に設置される場合などにおいては、当該梁の先端部が僅かに下方に撓んでいることが考えられるが、上記構成では、当該コーナーパネルに並べて設置される壁パネルと上下端部が数ｍｍ程度ずれる場合があり、意匠性を損なう虞がある。
【０００６】
本発明は、コーナーパネルと当該コーナーパネルに並べて設置される外壁パネルとの間の下端部の位置ずれを解消することができるコーナーパネルの取付構造及びコーナーパネル支持部材を提供することを目的とする。
【課題を解決するための手段】
【０００７】
本発明は、躯体隅部に支持部材を介してコーナーパネルを取り付けるコーナーパネルの取付構造であって、コーナーパネルは、交差する二つの片により形成されて出隅部に配置されるものであり、当該二つの片が交差して形成されたパネル頂部からその裏面側に向けて延びる貫通孔を有し、支持部材は、コーナーパネルを受けると共に貫通孔に挿通されるパネル固定ボルトを保持する座部と、躯体隅部に固定されると共に座部が連結される連結部と、連結部に対して座部を上下動可能とする上下スライド機構と、を備えることを特徴とする。
【０００８】
本発明は、交差する二つの片により形成されて出隅部に配置され、当該二つの片が交差して形成されたパネル頂部からその裏面側に向けて延びる貫通孔を有するコーナーパネルを躯体隅部に取り付けるためのコーナーパネル支持部材であって、コーナーパネルを受けると共に貫通孔に挿通されるパネル固定ボルトを保持する座部と、躯体隅部に固定されると共に座部が連結される連結部と、連結部に対して座部を上下動可能とする上下スライド機構と、を備えることを特徴とする。
【０００９】
このコーナーパネルの取付構造又はコーナーパネル支持部材によれば、支持部材の連結部が躯体隅部に固定された状態で、上下スライド機構によって、座部を連結部に対して上下動させることができる。座部が連結部に対して上下動することにより、座部に乗るコーナーパネルを躯体隅部に対して上下動させることができる。よって、コーナーパネルと当該コーナーパネルに並べて設置される外壁パネルとの間の下端部の位置ずれを解消することができる。
【００１０】
上記のコーナーパネルの取付構造又はコーナーパネル支持部材において、上下スライド機構は、連結部に対し座部を相対的に上下動させて位置調整すると共に、当該位置調整後の座部を連結部に固定する調整固定部と、調整固定部とは異なる位置で座部を支持する支持部と、を有する。この構成によれば、調整固定部によって、座部の位置が調整され、調整された高さで座部が連結部に固定される。さらに、支持部によって、調整固定部とは異なる位置で座部が支持されるので、座部が安定する。
【００１１】
上記のコーナーパネルの取付構造又はコーナーパネル支持部材において、支持部は、座部に螺合すると共に連結部に上端部を当接させる軸部材を調整固定部に対し左右一対備えている。この構成によれば、各軸部材を回転させるだけで各部材の座部からの突出状態を変化させることができ、当該突出状態を調節することで、連結部に対する座部の高さや傾きを容易に調節することができる。
【００１２】
上記のコーナーパネルの取付構造又はコーナーパネル支持部材において、軸部材には、座部に対するずれを防止するずれ防止部が設けられている。この構成によれば、ずれ防止部によって、座部に対する軸部材のずれが防止されるので、座部が所定の高さで安定して支持される。
【００１３】
上記のコーナーパネルの取付構造又はコーナーパネル支持部材において、調整固定部は、座部と連結部に挿通されてこれらを締結するボルトを有している。この構成によれば、座部を容易に連結部に固定することができると共に、容易に固定を解除でき、位置調整のやり直し等を容易に行うことができる。
【００１４】
上記のコーナーパネルの取付構造又はコーナーパネル支持部材において、座部には、パネル固定ボルトの軸部よりも大きいボルト挿通孔が形成されている。この構成によれば、パネル固定ボルトが上下左右に移動可能とされた状態で挿通孔に挿通されているので、座部に設置したコーナーパネルの貫通孔が所定の位置よりも僅かに上下にずれたとしても、当該ずれに合わせてパネル固定ボルトを動かすことができ、コーナーパネルの貫通孔にパネル固定ボルトを挿通させることができる。
【００１５】
上記のコーナーパネルの取付構造又はコーナーパネル支持部材において、パネル固定ボルトの軸部の基端部は、角柱状をなしており、ボルト挿通孔内に配置されて回転不能となっている。この構成によれば、パネル固定ボルトの基端部がボルト挿通孔内で回転不能となるので、パネル頂部側、すなわち軸部の先端部からナットにより締め付ける際、パネル固定ボルトの共回りが防止される。
【発明の効果】
【００１６】
本発明によれば、コーナーパネルと当該コーナーパネルに並べて設置される外壁パネルとの間の下端部の位置ずれを解消することができる。
【図面の簡単な説明】
【００１７】
【図１】本発明の一実施形態に係るコーナーパネルの取付構造が適用された建物の斜視図である。
【図２】躯体隅部に対するコーナーパネルの取付構造を示す分解斜視図である。
【図３】コーナーパネルの取付構造の底面図である。
【図４】図２中の支持部材及びパネル固定ボルトを示す分解斜視図である。
【図５】図４中のパネル固定ボルトの正面図及び側面図である。
【図６】支持部材及びパネル固定ボルトの平面図である。
【図７】支持部材及びパネル固定ボルトの側面図である。
【図８】支持部材及びパネル固定ボルトをパネル頂部の裏面側から見た図である。
【図９】支持部材及びパネル固定ボルトをパネル頂部の表面側から見た図である。
【発明を実施するための形態】
【００１８】
以下、本発明の実施形態について、図面を参照しながら説明する。なお、図面の説明において同一要素には同一符号を付し、重複する説明は省略する。
【００１９】
図１は、コーナーパネル３の取付構造Ａを備えた建物１の斜視図である。図１に示されるように、建物１は、たとえば中低層住宅である。建物１では、軽量気泡コンクリート（ＡＬＣ）パネルやプレキャストコンクリート（ＰＣ）パネル等からなる複数の壁パネルＰが躯体に取り付けられている。コーナーパネル３は、壁パネルＰと同じ材質を有しており、たとえば建物１のベランダ２の出隅部Ｂに設けられている。コーナーパネル３は、１階部分の壁パネルＰと２階部分の壁パネルＰとの境界線Ｌよりも下に設けられた下がり壁である。コーナーパネル３の両側には、下がり壁である外壁パネル５０，５０が隣接している。
【００２０】
図２に示されるように、取付構造Ａは、躯体隅部を構成するジョイントボックス４と、コーナーパネル３と、ジョイントボックス４とコーナーパネル３の上部との間に配置される固定部材７と、ジョイントボックス４とコーナーパネル３の下部との間に配置される支持部材１０と、コーナーパネル３を締結固定するためのパネル固定ボルト８及びナット９とパネル固定ボルト１１及びナット１２とを備える。取付構造Ａでは、固定部材７および支持部材１０を介して、ジョイントボックス４にコーナーパネル３が取り付けられている。
【００２１】
コーナーパネル３は、互いに直交する二つの片３ａ，３ｂにより形成されている。コーナーパネル３は、取付部位（たとえば、外壁、ベランダ、ポーチ、テラスの柱等）の寸法に応じて設定された寸法を有している。コーナーパネル３には、二つの片３ａ，３ｂが交差することによりパネル頂部３ｃが形成されている。パネル頂部３ｃからその裏面側に向けて、４５度方向に二本の貫通孔３ｄ，３ｅが形成されている。貫通孔３ｄと貫通孔３ｅとは、上下方向に間隔を有している。
【００２２】
ジョイントボックス４は、出隅部Ｂに配置されて、躯体を構成する片持ち梁（図示せず）の先端部に固定される。ジョイントボックス４は、複数のボルト孔６ａが形成された上部プレート４ａと、複数のボルト孔６ｂが形成された下部プレート４ｂとを有している。
【００２３】
ジョイントボックス４の上部プレート４ａには、固定部材７がボルトによって固定されている。固定部材７に形成されたボルト挿通孔７ａ及びコーナーパネル３に形成された貫通孔３ｄには、コーナーパネル３の裏面側から、パネル固定ボルト８が挿通されている。コーナーパネル３の上部は、固定部材７を介してパネル固定ボルト８及びナット９によって固定されている。なお、ボルト挿通孔７ａとパネル固定ボルト８との間には、若干の遊びが設けられている。
【００２４】
ジョイントボックス４の下部プレート４ｂには、支持部材（コーナーパネル支持部材）１０がボルト１６（図３参照）によって固定されている。支持部材１０に形成されたボルト挿通孔４６（図４参照）及びコーナーパネル３に形成された貫通孔３ｅには、コーナーパネル３の裏面側から、パネル固定ボルト１１が挿通されている。コーナーパネル３の下部は、支持部材１０を介してパネル固定ボルト１１及びナット１２によって固定されている。
【００２５】
図３は、コーナーパネル３の取付構造Ａの底面図である。図３に示されるように、コーナーパネル３の下端部は、支持部材１０に保持された状態でジョイントボックス４に支持されている。なお、図３では、コーナーパネル３に隣接する外壁パネル５０（図１参照）及びその支持部材等の図示は省略されている。
【００２６】
図３及び図４を参照して、支持部材１０の構成について詳細に説明する。図４に示されるように、支持部材１０は、ジョイントボックス４に固定される連結部１３と、連結部１３に連結されて、コーナーパネル３を受ける座部１４とを備えている。連結部１３及び座部１４は、たとえば鉄、ステンレス又はアルミ等の金属からなる。このように、支持部材１０は、二部材に分割されている。
【００２７】
連結部１３は、水平方向に延在する四角形状の天板部３１と、天板部３１の４辺から鉛直方向下方に延びる環状の側板部３２とを有する。側板部３２は、天板部３１を補強する機能を有しており、さらには、座部１４を裏面側から支持する機能を有している。側板部３２は、天板部３１のコーナーパネル３に面する２つの辺から鉛直方向下方に延びる側板部３２ａ，３２ａと、天板部３１のジョイントボックス４側の２つの辺から鉛直方向下方に延びる側板部３２ｂ，３２ｂとを有する。側板部３２ａ，３２ａ同士の間には側板部３２ｃが形成されており、この側板部３２ｃは、４５度方向に配置されたパネル固定ボルト１１に直交するように延在している。
【００２８】
図３及び図４に示されるように、ジョイントボックス４に当接する天板部３１の一つの隅部には、ボルト挿通孔３１ａが形成されている。ボルト挿通孔３１ａが下部プレート４ｂのボルト孔６ｂと重ねられた状態で、ボルト１６によって締結されることにより、連結部１３が下部プレート４ｂに固定される。
【００２９】
座部１４は、連結部１３の側板部３２とコーナーパネル３との間に配置される鉛直板部４１と、鉛直板部４１の下端に連続して形成されてコーナーパネル３を受ける２枚の水平板部４２，４２とを有する。鉛直板部４１は、連結部１３の側板部３２ａ，３２ａに対面する２枚の鉛直板部４１ａ，４１ａと、側板部３２ａ，３２ａの間に形成されて、連結部１３の側板部３２ｃに対面する鉛直板部４１ｂとを有する。側板部３２ａ，３２ａは、互いに直交する方向に延在しており、側板部３２ｃは、４５度方向に配置されるパネル固定ボルト１１に直交するように延在している。
【００３０】
水平板部４２，４２は、鉛直板部４１ａ，４１ａのそれぞれの下端から水平方向外方（コーナーパネル３側）に張り出している。水平板部４２，４２のそれぞれは、コーナーパネル３の片３ａ，３ｂに当接して、コーナーパネル３を支持する。水平板部４２の中央には、絞り加工によって、他の部分よりも僅かに持ち上がる台形状とされた高さ調整部４２ａが形成されている。高さ調整部４２ａは、コーナーパネル３に隣接する外壁パネル５０を支持する支持部材と水平板部４２とにおける板厚の差分を相殺して、載置面の高さを合わせるためのものである。
【００３１】
ここで、図４及び図５に示されるように、パネル固定ボルト１１の軸部１１ａには雄ねじが形成されている。パネル固定ボルト１１の基端部１１ｂは、四角柱状をなしている。このように、パネル固定ボルト１１は、角根全ねじボルトである。
【００３２】
図４に示されるように、座部１４の鉛直板部４１ｂには、パネル固定ボルト１１が挿通されるボルト挿通孔４６が形成されている。ボルト挿通孔４６は、パネル固定ボルト１１の軸部１１ａよりも大きく、上下方向に長い縦長形状に形成されている。ボルト挿通孔４６の幅は、パネル固定ボルト１１の基端部１１ｂの幅よりも僅かに大きい。ボルト挿通孔４６の上下方向の長さは、パネル固定ボルト１１の基端部１１ｂの高さよりも大きく、たとえば、基端部１１ｂの高さの２倍〜３倍である。
【００３３】
パネル固定ボルト１１は、ボルト挿通孔４６に根元まで挿入されたとき、基端部１１ｂがボルト挿通孔４６内に配置されて回転不能となっている。これにより、コーナーパネル３の外側からナット１２によって締め付けた場合の共回りが防止されている。パネル固定ボルト１１の頭部１１ｃと座部１４の鉛直板部４１ｂとの間には、ばね性を有するステンレス製のワッシャ４７が挟み込まれる（図４及び図６参照）。ワッシャ４７には、パネル固定ボルト１１が挿通されるボルト挿通孔４７ａが形成されている。
【００３４】
コーナーパネル３の貫通孔３ｅに挿通されたパネル固定ボルト１１にコーナーパネル３の表面側からナット１２を締め込むことにより、コーナーパネル３の下部が、支持部材１０の座部１４に固定される。９０度をなす鉛直板部４１ａ，４１ａには、コーナーパネル３（片３ａ，３ｂ）の裏面が圧接される。この状態で、座部１４はパネル固定ボルト１１を保持している。
【００３５】
さらに、支持部材１０は、連結部１３に対して座部１４を上下動可能とする上下スライド機構２０を備えている。すなわち、連結部１３と座部１４との２部材に分割された支持部材１０においては、ジョイントボックス４に固定された連結部１３に対して、座部１４を上下動させることにより、コーナーパネル３を載置する高さを調整可能になっている。
【００３６】
上下スライド機構２０は、連結部１３に対し座部１４を相対的に上下動させて位置調整すると共に、当該位置調整後の座部１４を連結部１３に固定する調整固定部２１と、調整固定部２１とは異なる位置で座部１４を支持する支持部２２と、を備えている。
【００３７】
調整固定部２１は、座部１４と連結部１３とに挿通されてこれらを締結するボルト２３を有している。連結部１３の天板部３１に挿通されたボルト２３の頭部２３ａは、連結部１３の天板部３１の隅部に加締め等により回転不能に固定されている。ボルト２３の軸部２３ｂには雄ねじが形成されている。一方、座部１４の鉛直板部４１ｂには、鉛直板部４１ｂの一部に切り込みを入れ９０度に折り曲げ加工することにより、水平方向に延在するボルト支持片４３が形成されている。ボルト支持片４３には、ボルト２３の軸部２３ｂよりも大きいボルト挿通孔４３ａが形成されており、ボルト挿通孔４３ａにボルト２３が挿通されて、下方からナット２６を螺合させることにより、連結部１３に座部１４が支持される。
【００３８】
板を折り曲げ加工してボルト支持片４３を形成することは、工数を削減し、また溶接不要にできる等、製造上の有利な点をもたらすが、ボルト支持片４３の形成方法は上記方法に限られない。鉛直板部４１ｂに別個の金属片を溶接してもよい。
【００３９】
ボルト２３の軸部２３ｂに対してナット２６を螺合させる度合いにより、ボルト支持片４３と天板部３１との間の距離が変更され、これによって、調整固定部２１による座部１４の高さ調整すなわち位置調整が可能となっている。連結部１３の側板部３２は、座部１４の鉛直板部４１に当接して座部１４を裏面側から支持する。さらに、側板部３２は、高さ調整の際、鉛直板部４１を上下方向に案内するガイド部として機能する。
【００４０】
支持部２２は、ボルト２３の左右に隣接して配置された一対の軸部材２４，２４を備えている。軸部材２４には雄ねじが形成されている。一方、座部１４の鉛直板部４１ａ，４１ａには、鉛直板部４１ａ，４１ａの一部に切り込みを入れ９０度に折り曲げ加工することにより、水平方向に延在するボルト保持片４４，４４が形成されている。ボルト保持片４４，４４には、雌ねじ形成孔４４ａ，４４ａが形成されている。これにより、軸部材２４，２４はボルト保持片４４，４４に螺合可能になっている。なお、軸部材２４の下端面には、六角レンチ等の回転工具が係合される角穴が形成されている。
【００４１】
板を折り曲げ加工してボルト保持片４４，４４を形成することは、工数を削減し、また溶接不要にできる等、製造上の有利な点をもたらすが、ボルト保持片４４の形成方法は上記方法に限られない。鉛直板部４１ａに別個の金属片を溶接してもよい。
【００４２】
図３及び図６に示されるように、軸部材２４，２４とボルト２３は、平面視で三角形の頂点をなすように配置されている。すなわち、軸部材２４，２４を通る仮想平面よりもコーナーパネル３側に、ボルト２３が配置されている。このように、軸部材２４，２４がボルト２３とは異なる位置（言い換えれば、一直線上にはない３点）で座部１４を支持することにより、座部１４の安定した支持が可能になっている。
【００４３】
図７に示されるように、軸部材２４の略平坦な上端部２４ａは、天板部３１の裏面に当接される。軸部材２４の下部には、ボルト保持片４４，４４に対応する一定の範囲に、ずれ防止部２４ｂ，２４ｂ（図４参照）が形成されている。このずれ防止部２４ｂ，２４ｂは、軸部材２４の表面に塗布された樹脂製の固着剤である。ずれ防止部２４ｂ，２４ｂとしては、たとえばスコッチグリップ（登録商標）を使用することができる。
【００４４】
以上の構成を有する支持部材１０を用いてコーナーパネル３を取り付ける方法について説明する。まず、ジョイントボックス４の上部プレート４ａに固定部材７を固定し、ジョイントボックス４の下部プレート４ｂに支持部材１０の連結部１３を固定する。このとき、連結部１３には、座部１４を適当な位置に取り付けておく、すなわち、ボルト支持片４３のボルト挿通孔４３ａにボルト２３を挿通し、ボルト２３にナット２６を螺合させておく。ボルト保持片４４の雌ねじ形成孔４４ａには、軸部材２４を適当な位置まで螺入しておく。この際、天板部３１の裏面から、軸部材２４の上端部２４ａを離間させておく（すなわち、隙間を空けておく）。
【００４５】
次に、固定部材７のボルト挿通孔７ａ（図２参照）にパネル固定ボルト８を挿入し、座部１４のボルト挿通孔４６（図４参照）にパネル固定ボルト１１を挿入する。ここで、パネル固定ボルト１１の基端部１１ｂをボルト挿通孔４６に配置することで、パネル固定ボルト１１を回転不能としておく。
【００４６】
次に、座部１４の水平板部４２にコーナーパネル３を載置する。この際、コーナーパネル３の貫通孔３ｄと貫通孔３ｅに、パネル固定ボルト８とパネル固定ボルト１１をそれぞれ挿通させる。コーナーパネル３を載置したら、隣接する外壁パネル５０（図１参照）に対してコーナーパネル３の高さが揃っているか否かを確認する。より詳細には、コーナーパネル３の下端の位置と、外壁パネル５０の下端の位置が一致しているかを確認する。
【００４７】
コーナーパネル３の下端の位置が外壁パネル５０の下端の位置よりも高い場合、ナット２６を緩めることにより、座部１４を降下させる（図８及び図９に実線で図示される座部１４及び水平板部４２参照）。コーナーパネル３の下端の位置が外壁パネル５０の下端の位置よりも低い場合、ナット２６を締め込むことにより、座部１４を上昇させる（図８及び図９に仮想線で図示される座部１４及び水平板部４２参照）。
【００４８】
ナット２６の締め込み位置を決めることにより座部１４を固定し、座部１４の高さ位置を決めると、続いて、軸部材２４，２４を回転工具により締め込む方向に回転させて上昇させ、軸部材２４，２４の上端部２４ａ，２４ａを天板部３１の裏面に突き当てる（すなわち当接させる）。これにより、ボルト２３により固定された高さ位置にて、座部１４は左右２点で支持される（図８参照）。
【００４９】
そして、ナット９（図１参照）とナット１２を締め込むことにより、ジョイントボックス４に対してコーナーパネル３を締結固定する。
【００５０】
以上説明したコーナーパネル３の取付構造Ａ及び支持部材１０によれば、支持部材１０の連結部１３がジョイントボックス４に固定された状態で、上下スライド機構２０によって、座部１４が連結部１３に対して上下動する。座部１４が連結部１３に対して上下動することにより、座部１４に乗るコーナーパネル３をジョイントボックス４に対して上下動させることができる。よって、コーナーパネル３と当該コーナーパネル３に並べて設置される外壁パネル５０の互いの下端部間に数ｍｍ程度の位置ずれが生じる場合でも、上下スライド機構２０によって、当該ずれを解消することができる。
【００５１】
従来、支持部材が一体の部材からなる場合、コーナーパネル３の上下方向の調整は難しかった。たとえば、外壁パネル５０の下端部がコーナーパネル３の下端部よりも下がってしまった場合、下端部同士の高さを合わせるには、たとえば外壁パネル５０の下にスペーサ等を配置する必要があった。これに対し、上記の取付構造Ａ及び支持部材１０によれば、ジョイントボックス４に固定される連結部１３と、連結部１３に対して上下動可能な座部１４との２部材で１０が構成され、上下スライド機構２０を有することにより、コーナーパネル３の高さを調整することができる。その結果として、壁パネルＰの並びの見栄えが良くなり、意匠性が向上する。
【００５２】
また、上下スライド機構２０が調整固定部２１と支持部２２とを有するため、調整固定部２１によって、座部１４の位置が調整され、調整された高さで座部１４が連結部１３に固定される。さらに、支持部２２によって、調整固定部２１とは異なる位置で座部１４が支持されるので、座部１４が安定する。また、調整固定部２１と支持部２２とがそれぞれ独立して設けられているので、調整固定部２１による固定の有無に関係なく、支持部２２によって座部１４が支持されることにより、座部１４の高さ位置が保持される。これにより、調整固定部２１による固定を介することなく座部１４の位置調整を行なうことや、調整固定部２１を一旦固定した後、再度当該固定を解除して位置調整を行うことができ、位置調整の作業性が向上するものとなる。座部１４の位置調整は螺合による調整なので、無段に（すなわち任意の高さ位置に）コーナーパネル３の下端を設定することができる。
【００５３】
調整固定部２１及び支持部２２は、コーナーパネル３が設置されるのとは反対側である座部１４の裏面側に配置されており、座部１４の裏面側は開放された空間を形成しているので、調整固定部２１による位置調整及び固定ならびに支持部２２による調整・支持といった作業が行い易くなっている。
【００５４】
また、支持部２２が左右一対の軸部材２４，２４を備えるため、各軸部材２４を回転させるだけで各軸部材２４の座部１４（すなわちボルト保持片４４）からの突出状態を変化させることができ、当該突出状態を調節することで、連結部１３に対する座部１４の高さや傾きを容易に調節することができる。
【００５５】
また、軸部材２４にはずれ防止部２４ｂが設けられているため、座部１４に対する軸部材２４のずれが防止され、長期にわたって、座部１４が所定の高さで安定して支持される。
【００５６】
また、調整固定部２１は、座部１４及び連結部１３を締結するボルト２３を有しているため、座部１４を容易に連結部１３に固定することができると共に、容易に固定を解除でき、位置調整のやり直し等を容易に行うことができる。また、ボルト２３が締結されることで、軸部材２４の上端部２４ａと連結部１３（すなわち天板部３１）との間で互いに向けての押圧力が発生し、ボルト２３の締め付けによってその押圧力が高められる。よって、連結部１３及び座部１４の保持力を上昇させることができ、且つ、座部１４の高さ位置が適正に保たれている状態を長期に亘り保つことができる。
【００５７】
また、パネル固定ボルト１１の軸部１１ａよりも大きいボルト挿通孔４６が座部１４（すなわち鉛直板部４１ｂ）に形成されているため、パネル固定ボルト１１が上下左右に移動可能とされた状態でボルト挿通孔４６に挿通される。よって、座部１４に設置したコーナーパネル３の貫通孔３ｅが所定の位置よりも僅かに上下にずれたとしても、当該ずれに合わせてパネル固定ボルト１１を動かすことができ、コーナーパネル３のボルト挿通孔４６にパネル固定ボルト１１を挿通させることができる。
【００５８】
また、パネル固定ボルト１１の軸部１１ａの基端部１１ｂは、ボルト挿通孔４６内に配置されて回転不能となっているため、パネル頂部３ｃ側すなわち軸部１１ａの先端部からナット１２により締め付ける際、パネル固定ボルト１１の共回りが防止される。
【００５９】
以上、本発明の実施形態について説明したが、本発明は上記実施形態に限られるものではない。たとえば、調整固定部は、ボルト及びナットにより高さ調整・締結固定される場合に限られず、座部１４を複数段階の高さ位置で連結部１３に係止可能な構成としてもよい。支持部は、左右一対の軸部材を備える場合に限られず、一本の軸部材を備えてもよい。軸部材が座部に螺合する場合に限られず、座部に係合する構成であってもよい。本発明は、片持ち梁の先端部に固定されたジョイントボックスに限られず、他の躯体隅部に設けられるコーナーパネルにも適用可能である。
【符号の説明】
【００６０】
３…コーナーパネル、３ａ，３ｂ…片、３ｃ…パネル頂部、３ｅ…貫通孔、４…ジョイントボックス（躯体隅部）、１０…支持部材（コーナーパネル支持部材）、１１…パネル固定ボルト、１１ａ…軸部、１１ｂ…基端部、１３…連結部、１４…座部、２０…上下スライド機構、２１…調整固定部、２２…支持部、２３…ボルト、２４…軸部材、２４ａ…上端部、２４ｂ…ずれ防止部、４６…ボルト挿通孔、Ａ…コーナーパネルの取付構造、Ｂ…出隅部。
【図１】
2015059406.tif 000003
【図２】
2015059406.tif 000004
【図３】
2015059406.tif 000005
【図４】
2015059406.tif 000006
【図５】
2015059406.tif 000007
【図６】
2015059406.tif 000008
【図７】
2015059406.tif 000009
【図８】
2015059406.tif 000010
【図９】
2015059406.tif 000011